(57)【要約】【課題】本発明は割れ誘発目地溝を形成したコンクリートパネル製露天用歩行床材を床下地面に置き敷きするのみで、歩行床材と床下地面間に自由な雨水流出間隔を形成し、同時に割れ誘発目地溝によって割れが誘発された小ブロックの連結を保持しつつ屈撓せしめ、該屈撓に伴いコンクリートパネルを支持する支持脚が床下地面の不陸に順応して倣い置き敷きされる効果を併有せる歩行床材を提供する。【解決手段】コンクリートパネル２の上面を複数の割れ誘発目地溝３で区画し、他方屈撓性を有するネット７から下方へ向け複数の支持脚８を突設して成る支持脚付きネット６を形成し、該支持脚付きネット６を上記ネット７を以って上記コンクリートパネル２の略全域に亘って埋設し、上記支持脚８の先端部を上記コンクリートパネル２の下面より突出し、上記コンクリートパネル２を該支持脚８の突出先端部によって床下地面９に複点支持する構成とした露天用歩行床材。【選択図】        図２
2005113575.tif 000002
【特許請求の範囲】
【請求項１】
コンクリートパネルの上面を複数の割れ誘発目地溝で区画して成る露天用歩行床材において、屈撓性を有するネットから下方へ向け複数の支持脚を突設して成る支持脚付きネットを形成し、該支持脚付きネットを上記ネットを以って上記コンクリートパネルの略全域に亘って埋設し、上記支持脚の先端部を上記コンクリートパネルの下面より突出し、上記コンクリートパネルを該支持脚の突出先端部によって床下地面に複点支持する構成としたことを特徴とする露天用歩行床材。
【請求項２】
上記支持脚付きネットを合成樹脂にて一体成形構造としたことを特徴とする請求項１記載の露天用歩行床材。
【請求項３】
コンクリートパネルの上面を複数の割れ誘発目地溝で区画して成る露天用歩行床材において、屈撓性を有するネットから下方へ向け複数の支持脚を突設して成る支持脚付きネットを形成し、該支持脚付きネットを上記ネットを以って上記コンクリートパネルの下面に同パネルの略全域に亘り層着し、上記支持脚を上記コンクリートパネルの下面より突出し、上記コンクリートパネルを該支持脚によって床下地面に複点支持する構成としたことを特徴とする露天用歩行床材。
【請求項４】
コンクリートパネルの上面を複数の割れ誘発目地溝で区画して成る露天用歩行床材において、屈撓性を有する多孔板から下方へ向け複数の支持脚を突設して成る支持脚付き多孔板を形成し、該支持脚付き多孔板を上記多孔板を以って上記コンクリートパネルの下面に同パネルの略全域に亘り層着し、上記支持脚を上記コンクリートパネルの下面より突出し、上記コンクリートパネルを該支持脚によって床下地面に複点支持する構成としたことを特徴とする露天用歩行床材。
【発明の詳細な説明】
【技術分野】
【０００１】
本発明は屋上、ベランダ、バルコニー等に使用するコンクリートパネルから成る露天床材に関する。
【背景技術】
【０００２】
特許文献１においては、陸屋根における防水層の上面にネットを敷設し、該ネットの上面側に露天用歩行床材、即ちコンクリートパネルの上面を複数の割れ誘発目地溝で区画して成る露天用歩行床材を敷設し、該歩行床材下の溜まり水が歩行荷重により歩行床材の上面側へ湧出する浮き水現象を防止する歩行床構造を開示している。
【特許文献１】特開２０００−１９２６１６号公報
【発明の開示】
【発明が解決しようとする課題】
【０００３】
然しながら上記先行例の思想に従い、このネットを歩行床材（コンクリートパネル）が敷設される床下地面に敷設した場合、即ちネットを歩行床材と床下地面間に介在した場合、上記溜まり水はネットの目内に止まり、ネット形成線材が排水の障害となる問題が懸念される。その意味で上記浮き水現象を防止する効果も減殺される。
又ネットを床下地面に敷設し、更にネットの上面に歩行床材を敷設する作業を要し、工費アップの要因となっている。
【課題を解決するための手段】
【０００４】
本発明は上記課題を解決するための手段として、ネットから下方へ向け複数の支持脚を突設して成る支持脚付きネットを形成し、該支持脚付きネットを上記ネットを以って上記コンクリートパネルの略全域に亘って埋設すると共に、上記支持脚の先端部を上記コンクリートパネルの下面より突出し、上記コンクリートパネルを該支持脚の突出先端部によって床下地面に複点支持する構成とした露天用歩行床材を提供するものである。
【０００５】
好ましくは上記支持脚付きネットを合成樹脂にて一体成形構造とする。
【０００６】
又他の解決手段として、上記支持脚付きネットを上記ネットを以って上記コンクリートパネルの下面に同パネルの略全域に亘り層着すると共に、上記支持脚を上記コンクリートパネルの下面より突出し、上記コンクリートパネルを該支持脚によって床下地面に複点支持する露天用歩行床材を提供する。
【０００７】
更に他の解決手段として、上記ネットと同効の多孔板を用い、該多孔板から下方へ向け複数の支持脚を突設して成る支持脚付き多孔板を形成し、該支持脚付き多孔板を上記多孔板を以って上記コンクリートパネルの下面に同パネルの略全域に亘り層着すると共に、上記支持脚を上記コンクリートパネルの下面より突出し、上記コンクリートパネルを該支持脚によって床下地面に複点支持する露天用歩行床材を提供する。
【発明の効果】
【０００８】
上記露天用歩行床材によれば、上記割れ誘発目地溝を形成したコンクリートパネルに支持脚付きネット又は支持脚付き多孔板を埋設又は層着したものを用意し、これを床下地面に置き敷きするのみで、歩行床材と床下地面間、即ち複点支持する支持脚間に自由な雨水流出間隔を形成した床施工が容易に行え、これにより前記浮き水現象を有効に防止しつつ、円滑な排水を図ることができる。
【０００９】
同時に上記支持脚付きネット又は支持脚付き多孔板は割れ誘発目地溝によって割れが誘発された小ブロックに追随して屈撓し、支持脚が床下地面の不陸に順応して倣い置き敷きされる効果を併有せしめることができる。
【発明を実施するための最良の形態】
【００１０】
以下本発明を実施するための最良の形態を図１乃至図７に基づき説明する。
【００１１】
図１に示すように、露天用歩行床材１はコンクリートパネル２の上面を複数の縦方向と横方向の割れ誘発目地溝３で複数の小ブロック４に区画して成り、各小ブロック４は歩行荷重により割れ誘発目地溝３において割れを誘発する構造である。従って割れ誘発目地溝３は深溝にし、目地溝底壁５は歩行荷重によって割れを誘発する程度の薄肉にする。
【００１２】
他方、図３に示すように、屈撓性を有するネット７から下方へ向け複数の支持脚８を突設して成る支持脚付きネット６を形成する。好ましくは上記支持脚８をネット７の縦方向と横方向の線材１０の交差部から下方へ向け一体に垂設する。この支持脚８は柱状を呈している。支持脚８を線材１０の交差部から垂直に突設する構成によって、該線材交差部の面積を広くして支持脚８を太くし、剛性強度を増強できる。
【００１３】
上記支持脚付きネット６は合成樹脂にて一体成形構造とする。即ちネット７と支持脚８とを一体成形にて形成する。
【００１４】
上記支持脚付きネット６を上記ネット７を以って上記コンクリートパネル２の略全域に亘って埋設すると共に、上記支持脚８の基端部を上記コンクリートパネル２内に埋設し、同先端部を上記コンクリートパネル２の下面より突出し、図２に示すように、上記コンクリートパネル２、即ち歩行床材１を該支持脚８の突出先端部によって床下地面９に複点支持する構成とする。
【００１５】
前記の如く、コンクリートパネル２の各小ブロック４が割れ誘発目地溝３を介して割れ１３を生じた場合、上記ネット７は該割れを生じた小ブロック４を連結しつつ撓みを生じ、これにより図２に示すように、各支持脚８を床下地面９の不陸に順応して変位せしめガタのない敷設を可能とする。
【００１６】
図４に基づき上記露天用歩行床材１の製造法について説明する。同図に示すように、上面において開放されたコンクリートパネル成形用の箱形型材１１を用い、該箱形型材１１の底壁から内方へ立ち上げた目地溝成形用壁１２の頂部にネット７を水平に載置し、次にコンクリートを箱形型材１１内に充填して硬化後脱型し、割れ誘発目地溝３を持つコンクリートパネル２を成形する。
【００１７】
この時上記支持脚８は箱形型材１１の開口面、即ち打設コンクリートの上面より上方へ突設する。上記支持脚付きネット６を目地溝成形用壁１２の頂部に水平に載置することによって、ネット７の埋め込み深さを均一に設定すると共に、支持脚８先端部の突出高さの均一性を確保する。
【００１８】
又露天用歩行床材１の他例として図５に示すように、図３に基づき説明した構造を有する支持脚付きネット６、即ち屈撓性を有するネット７から下方へ向け複数の支持脚８を突設して成る支持脚付きネット６を、ネット７を以って上記コンクリートパネル２の下面に同パネル２の略全域に亘り層着し、上記支持脚８を上記コンクリートパネル２の下面より突出し、上記コンクリートパネル２、即ち歩行床材１を該支持脚８によって床下地面９に複点支持する構成とする。
【００１９】
上記支持脚付きネット６はコンクリートパネル２を形成するコンクリート内に半埋設状態に層着する。即ちネット形成線材１０の上半部がコンクリート内に埋設した半埋設状態に層着する。
【００２０】
図３に示すように、上記ネット７の対向する四辺、少なくとも対向する二辺には上記ネット７と一体に吊り輪１７を設け、他方図１に示すように、コンクリートパネル２の対向する四辺、少なくとも対向する二辺には凹欠部１８を設け、図２に示すように、上記ネット７をコンクリートパネル２内に埋設するか、又は図５に示すように、コンクリートパネル２の下面に層着しつつ、上記吊り輪１７を上記凹欠部１８内に露出して内在するように配し、該吊り輪１７を床下地面９に置き敷きされた隣接するコンクリートパネル２の吊り輪１７と重ね、両吊り輪１７を結縛等し連結することによってコンクリートパネル２相互間、即ち露天用歩行床材１を相互に連結し、強風による吹き飛びを防止する。
【００２１】
上記吊り輪１７は支持脚付きネット６と合成樹脂にて一体成形し、ネット６の少なくとも対向する二辺の中央部に配し、同様に上記凹欠部１８はコンクリートパネル２の少なくとも対向する二辺の中央部に配する。
【００２２】
更に上記露天用歩行床材１の他例として図６に示すように、屈撓性を有する多孔板７′から下方へ向け複数の支持脚８を突設して成る支持脚付き多孔板６′を形成し、図５に示すように、該支持脚付き多孔板６′を上記多孔板７′を以って上記コンクリートパネル２の下面に同パネル２の略全域に亘り層着し、上記支持脚８を上記コンクリートパネル２の下面より突出し、上記コンクリートパネル２、即ち歩行床材１を該支持脚８によって床下地面９に複点支持する構成とする。
【００２３】
上記多孔板７′に均一に設けた貫通孔１４内にはコンクリートが入り込み、コンクリートパネル２の下面に強固に結合し層着される。
【００２４】
上記層着強度を高める手段として図５，図７に示すように、上記支持脚付き多孔板６′及び支持脚付きネット６から上方へ向けアンカー突起１５を突設し、該アンカー突起１５をコンクリート内に埋設しつつ、ネット７及び多孔板７′をコンクリートパネル２の下面に層着する。
【００２５】
上記ネット７と支持脚８とアンカー突起１５を持つ支持脚付きネット６を合成樹脂にて一体成形する。同様に多孔板７′と支持脚８とアンカー突起１５を持つ支持脚付き多孔板６′を合成樹脂にて一体成形する。
【００２６】
図５に示す歩行床材１の製造法について説明すると、図７に示すように、上面において開放せるコンクリートパネル成形用の箱形型材１１を用い、該箱形型材１１の底壁から目地溝成形用壁１２を内方へ向け立ち上げ、コンクリートを該箱形型材１１内に充填し、次に充填コンクリートの上面に上記支持脚付きネット６又は支持脚付き多孔板６′をネット７及び多孔板７′を以って層着し、硬化後脱型し、割れ誘発目地溝３を持つコンクリートパネル２を成形する。
【００２７】
図６に示すように、上記多孔板７′の対向する四辺、少なくとも対向する二辺には上記多孔板７′と一体に吊り輪１７を設け、他方図１に示すように、コンクリートパネル２の対向する四辺、少なくとも対向する二辺には凹欠部１８を設け、図５に示すように、支持脚付き多孔板６′をコンクリートパネル２の下面に層着しつつ、上記吊り輪１７を上記凹欠部１８内に露出して内在するように配し、該吊り輪１７を床下地面９に置き敷きされた隣接するコンクリートパネル２の吊り輪１７と重ね、両吊り輪１７を結縛等し連結することによってコンクリートパネル２相互間、即ち露天用歩行床材１を相互に連結し、強風による吹き飛びを防止する。
【００２８】
上記吊り輪１７は支持脚付き多孔板６′と合成樹脂にて一体成形し、多孔板６′の少なくとも対向する二辺の中央部に配し、同様に上記凹欠部１８はコンクリートパネル２の少なくとも対向する二辺の中央部に配する。
【００２９】
上記露天用歩行床材１は床下地面９に置き敷きする単純な作業で、歩行床材１と床下地面９間、即ち複点支持する支持脚８間に自由な雨水流出間隔１６を形成でき、同構造を持つ床施工が容易に行え、この雨水流出間隔１６によって前記浮き水現象を有効に防止しつつ、円滑な排水を図ることができる。
【００３０】
同時に上記支持脚付きネット６又は支持脚付き多孔板６′は割れ誘発目地溝３によって割れが誘発された小ブロック４に追随して屈撓し、支持脚８が床下地面９の不陸に順応して倣い置き敷きされる効果を併有せしめることができる。
【図面の簡単な説明】
【００３１】
【図１】支持脚付きネット又は支持脚付き多孔板を埋設又は層着した露天用歩行床材の平面図。
【図２】支持脚付きネットを埋設した露天用歩行床材の側面図。
【図３】露天用歩行床材に埋設又は層着される支持脚付きネットを下面側から観た斜視図。
【図４】支持脚付きネットを埋設せる露天用歩行床材の成形方法を説明する成形型の断面図。
【図５】支持脚付きネット又は支持脚付き多孔板を層着せる露天用歩行床材の断面図。
【図６】露天用歩行床材に層着される支持脚付き多孔板を下面側から観た斜視図。
【図７】支持脚付きネット又は支持脚付き多孔板を層着せる露天用歩行床材の成形方法を説明する成形型の断面図。
【符号の説明】
【００３２】
１…露天用歩行床材、２…コンクリートパネル、３…割れ誘発目地溝、４…小ブロック、５…目地溝底壁、６…支持脚付きネット、６′…支持脚付き多孔板、７…ネット、７′…多孔板、８…支持脚、９…床下地面、１０…ネット形成線材、１１…箱形型材、１２…目地溝成形用壁、１３…割れ、１４…貫通孔、１５…アンカー突起、１６…雨水流出間隔、１７…吊り輪、１８…凹欠部
【図１】
2005113575.tif 000003
【図２】
2005113575.tif 000004
【図３】
2005113575.tif 000005
【図４】
2005113575.tif 000006
【図５】
2005113575.tif 000007
【図６】
2005113575.tif 000008
【図７】
2005113575.tif 000009